(57)【特許請求の範囲】
【請求項１】
受入ハウジング（２０，２１）内において炭素ブラシ（１８，１９）が第１の受入案内部（３３）内を長手方向に移動可能な前記受入ハウジング（２０，２１）を備えた炭素ブラシ（１８，１９）用受入装置を有する電動機において、
炭素ブラシ（１８，１９）と電気的導通接続を形成している長手方向に伸長する平薄板部品である接点要素（１４，１５）を有し、該接点要素はその接触位置において、バネ付勢される接点部分（９，１２）と接触しかつ前記受入ハウジング（２０，２１）内に係止可能であり、
前記受け入れハウジング（２０，２１）がさらに、前記接点要素（１４，１５）のための第２の受入案内部（３５）を有し、前記第２の受け入れ案内部（３５）は前記第１の受入案内部（３３）の下方に位置しかつ前記接点部分（９，１２）に向いており、該接点部分（９，１２）はステータ巻線上に位置し、
前記第２の受入案内部（３５）の底部（３８）が、前記受入ハウジング（２０，２１）のロータ側端部に、前記接点要素（１４，１５，１６，１７）と前記接点部分（９，１０，１１，１２）との間の接触を形成するための開口を有し、
前記接点要素（１４，１５）はその係止可能な準備位置からその接触位置へと移動することにより前記接点部分（９，１２）と接触させられ、前記接点部分（９，１２）は前記接点要素（１４、１５）を通りやすくする当接面を有することを特徴とする電動機。
【請求項２】
前記接点要素（１４，１５）がその片側にほぼ直角なアングル部（３１，３２）を有し、ここで圧縮ばね（２５，２６）および／または炭素ロープ（２７，２８）がアングル部（３１，３２）と接続されていることを特徴とする請求項１に記載の電動機。
【請求項３】
前記接点部分（９，１０，１１，１２）がそれ自身でばね付勢可能な接点パンタグラフを有することを特徴とする請求項２に記載の電動機。
【請求項４】
前記第１および第２の受入案内部（３３，３５）が中間底部（３４）により分離されていることを特徴とする請求項１〜３のいずれかに記載の電動機。
【請求項５】
前記電動機に電流を供給するための滑り接点が前記電動機に形成され、前記滑り接点は平らなプラグ部分（１６，１７）からなり、前記プラグ部分（１６，１７）はばね付勢を与えながらそれに当接するモータ側の接点部分（１０，１１）と接触することを特徴とする請求項１〜４のいずれかに記載の電動機。
【請求項６】
モータ回路に関して直列に、モータ内にサーモスタットスイッチ（４３）が設けられていることを特徴とするとくに請求項１〜５のいずれかに記載の電動機。
【請求項７】
前記サーモスタットスイッチ（４３）が温度センサを有し、温度センサはステータ巻線（３）の上側に設けられていることを特徴とする請求項６に記載の電動機。
【請求項８】
前記サーモスタットスイッチがステータ巻線（３）の巻線カバー内にはめ込まれていることを特徴とする請求項６または７に記載の電動機。
【請求項９】
前記受入ハウジング（２０）が同時に妨害対抗要素を有することを特徴とする請求項１〜８のいずれかに記載の電動機。
【請求項１０】
前記受入ハウジング（２０）に妨害対抗コンデンサ（４７）が保持されていることを特徴とする請求項９に記載の電動機。
【請求項１１】
前記妨害対抗コンデンサ（４７）が、一方で前記受入ハウジング（２０）を電動機とくにステータ（１）に保持する固定要素（５１）と電気的に導通接続を形成しまた他方で前記接点要素（１４）と電気的に導通接続を形成することを特徴とする請求項１０に記載の電動機。
【請求項１２】
前記受入ハウジング（２０）上に前記妨害対抗コンデンサ（４７）用の受入ポケット（４８）が形成されていることを特徴とする請求項１０または１１に記載の電動機。
【請求項１３】
前記受入ハウジング（２０）上で前記受入ポケット（４８）の横側に前記妨害対抗コンデンサ（４７）のプラグ接点（５２）用の滑り接点受入部（５３）が形成されていることを特徴とする請求項１２に記載の電動機。
【請求項１４】
前記受入ハウジング（２０）内の前記第１の受入案内部にほぼ平行に前記プラグ接点（５２）用受入案内部が形成されていることを特徴とする請求項１３に記載の電動機。
【発明の詳細な説明】
【０００１】
【発明の属する技術分野】
本発明は、受入ハウジング内において炭素ブラシが受入案内部内を長手方向に移動可能な前記受入ハウジングを備えた炭素ブラシ用受入装置を有する電動機に関するものである。
本発明はとくに、調理用機器、真空掃除機などの家庭電化製品に使用されるような電動機に関するものである。
【０００２】
【従来の技術】
既知の電動機においては、ロータをステータおよびモータハウジングに装着した後、炭素ブラシが炭素ブラシ用受入ハウジング内に押し込まれて、通常のように差込み接点によりハウジングないしは炭素ブラシの端部との導通接続が形成される。この既知の形態は、炭素ブラシおよび接触形成に関して、モータの組立および接点の信頼性の点で不利である。
【０００３】
【発明が解決しようとする課題】
上記の従来技術に基づき、本発明はまず、炭素ブラシを有する電動機において炭素ブラシの電気的接触形成を改善するという技術的問題点を課題とする。組立方法の改善もまた本発明の課題である。
【０００４】
【課題を解決するための手段】
この技術的問題点はまず本質的に請求項１の特徴により解決され、ここでは炭素ブラシと電気的導通接続を形成している長手方向に伸長する接点要素であって、受入ハウジング内に保持可能でありかつ準備位置から接触位置へ移動可能な前記接点要素が設けられるように設計されている。
【０００５】
本発明によれば、本来の炭素ブラシと接続されている接点要素が設けられ、接点要素はまず準備位置にあらかじめ組み立てられ、次に整流子を備えたロータが電動機のモータハウジング内に組み立てられた後に接点要素を単に移動させて接点要素を接触位置とすることにより炭素ブラシとの電気的接続が形成される。接点要素が炭素ブラシとあらかじめ接続されたまま組立ユニットが形成されることもまた重要である。
【０００６】
次にこの接点要素が準備位置から接触位置に移動されると、この移動によりステータ巻線との導通接続のための接触が形成される。このために電動機内でステータ巻線上に相手側接点が設けられている。相手側接点はモータに固定されている。さらに詳細には、接点要素の準備位置および／または接触位置が係止可能である。しかしながら両方の位置は、準備位置から接触位置への移動のみが可能なように係止可能であることが好ましい。逆方向移動は、たとえば接点要素に形成された逆向きフック状部分により防止することができる。詳細には、炭素ブラシが圧縮ばねを介して接点要素と接続され、ここで圧縮ばねが接点要素の接触面にほぼ平行に伸長していることもまた好ましい。
【０００７】
したがって、上記のようにあらかじめ接続された接点要素および圧縮ばねからなるユニットは、いずれの場合もその下流側にすなわち相手側接点に付属する側に移動されて電気的導通を形成可能な長手方向伸長部分に対応し、この長手方向伸長部分に対しほぼ平行にかつ圧縮ばねにより結合されて炭素ブラシが設けられている。
【０００８】
さらに炭素ブラシは炭素ロープを介して接点要素と接続されている。炭素ロープはとくに銅製ロープである。詳細には、接点要素は平薄板部品からなり、平薄板部品は片側にほぼ直角なアングル部を有し、ここで圧縮ばねは炭素ロープを包囲してアングル部と接続されている。接触位置において接点要素はばね付勢状態にある、相手側接点の一部である接点部分と協働する。接点部分はさらに詳細には当接面を有し、接点要素が準備位置から接触位置に移動されたときに接点要素が前記当接面を介して接点部分と接触するに至ることが好ましい。接点部分がばね付勢可能であることにより、接点要素を通りやすくしかつ接点要素を接触位置へ完全に移動させることを可能にする。接点部分の好ましい構造形態は、この点に関してそれ自身でばね付勢可能な接点パンタグラフを有している。
【０００９】
さらに詳細には、炭素ブラシ用受入ハウジング内に、炭素ブラシそれ自身用受入案内部の下側に接点要素用の第２の受入案内部が形成されている。炭素ブラシおよび接点要素は第１および第２の受入案内部のそれぞれ内に同時に引出しを操作するように移動されるが、ここで両方の部分は一端で相互に接続されている。第１および第２の受入案内部は中間底部により適切に分離されている。さらに受入ハウジング内に第２の受入案内部用の底部が設けられ、その底部が受入ハウジングのロータ側すなわち整流子側端部に設けられた、接点要素とモータに固定されている接点部分との間の接触を形成するための開口を有することがさらに好ましい。ここで使用される電動機はさらに電流供給装置を有していなければならない。
【００１０】
したがって、さらに他の形態においてある方法が同じく提案され、この方法は上に説明された方法とは独立に、電動機に電流を供給するための滑り接点が電動機に形成され、滑り接点は平らなプラグ部分からなり、プラグ部分はばね付勢を与えながらそれに当接するモータ側の接点部分と協働することを意味している。さらにモータ回路に関して直列に、モータ内にサーモスタットスイッチが設けられることが提案されている。サーモスタットスイッチはさらに必ず温度センサを有し、温度センサはステータ巻線の上側に組み込まれている。サーモスタットスイッチないし温度センサはモータ内でステータ巻線の上側に設けられている。この点に関してサーモスタットスイッチは、一方の端部はモータ電流と接触したときに作動する接点部分内に埋め込み接続されるが、他方の端部はモータ室内に設けられた他の接点端子内に差込み接続されている。詳細には、サーモスタットスイッチもまたステータ巻線の巻線カバー内にはめ込まれている。
【００１１】
さらに本発明は、受入ハウジングが同時に妨害対抗要素を有することもまた提案している。ステータがモータカプセル内にはめ込まれたとき同時に、受入ハウジング、ステータおよびモータプラグの間で電気接触が形成されるばかりでなく、必要な妨害対抗部品もまた電気的に接続されるようにしてもよい。このために受入ハウジングが同時に妨害対抗要素を有するように設計されている。受入ハウジングにとくに妨害対抗コンデンサが保持されている。この保持は、妨害対抗コンデンサが、一方で受入ハウジングを電動機とくにステータに保持する固定要素と電気的に導通接続を形成しまた他方で炭素ブラシとの接触の形成を可能にする接点要素と電気的に導通接続を形成するように行われることが好ましい。
【００１２】
このためにさらに、受入ハウジング上に妨害対抗コンデンサ用の受入ポケットを形成してもよい。たとえばボタン状のコンデンサを、たとえばＵ形状案内部を設けたこのポケット内に挿入してもよい。さらに、受入ハウジング上で受入ポケットの横側に妨害対抗コンデンサのプラグ接点用の滑り接点受入部を形成してもよい。上記のような保持用固定要素との電気的導通接続は、ねじとして形成された固定要素と受入ハウジング内のねじ穴との間の締付けにより行ってもよい。さらに固定要素として、たとえばブラインドリベットを使用してもよく、これを用いて同時に妨害対抗コンデンサとの電気的導通接続が形成される。妨害対抗コンデンサと炭素ブラシとの間の電気的導通接続を提供するプラグ端子に関して、受入ハウジング内の炭素ブラシ用受入案内部にほぼ平行にプラグ接点用受入案内部を形成してもよい。
【００１３】
以下に本発明を添付図面により詳細に説明するが、これらの図面は単に実施例を示すにすぎない。
【００１４】
【発明の実施の形態】
まず図１を参照すると、ステータ巻線２，３を有する電動機のステータ１が示されている。ステータ１に接点端子４，５，６，７および８がたとえば接着により固定装着されている。この実施態様においては、いわゆるＭａｇ−Ｍａｔｅ接点端子が使用されている。これらの接点端子は、それ自身回路技術的に既知の方法で、ステータまたはステータ巻線に対する接点および後に詳細に説明するようにサーモスタットに対する接点を形成している。
【００１５】
接点端子４，５，６，７および８はさらにそれぞれ接点部分９，１０，１１および１２を有している。接点部分は適切な導電性材料からなっている。とくにこれは薄銅板であってよい。接点部分はさらに下側に、付属の接点端子に差込可能な刀状の部分を有し、この場合上側にはばね付勢可能なパンタグラフ形状部分が設けられている。詳細には、パンタグラフ形状部分は薄銅板をホース状に巻き付けることにより形成されている。
【００１６】
プレハブ部品または前装着部品として上記の接点端子および接点部分を有するステータが利用可能であり、これらの部品は組立てのときにモータハウジング１３（図２および３参照）内に挿入される。
【００１７】
これらを挿入したとき、接点部分９ないし１２が付属の接点要素１４，１５および１６，１７と接触することになる。
【００１８】
接点要素１４および１５は炭素ブラシ１８，１９との接触を形成する。炭素ブラシ１８，１９は受入ハウジング２０，２１内に受け入れられている。
【００１９】
炭素ブラシ１８用の受入ハウジング２０に他のモータ接点受入ハウジング２２が接続されるかまたは受入ハウジング２０がモータ接点受入ハウジング２２と直接一体に製作されている。さらに受入ハウジング２０ないし２１は装着フランジ２３および２４を有し、装着フランジ２３および２４はこの実施態様においては受入ハウジング２０，２１の長手方向軸に対し直角ではなくそれから外れて走行し、これは後に図２について詳細に説明されるように組込条件によって決定されるものである。
【００２０】
炭素ブラシ１８，１９がばね２５，２６および炭素ロープ２７，２８を介して接点要素１４ないし１５と接続されていることは重要である。圧縮ばねが接点要素１４，１５の接点タング２９ないし３０にたとえば圧着されていると同時に、炭素ロープ２７，２８が接点要素１４ないし１５の接点タング２９ないし３０の切欠部にかしめられていることが好ましい。
【００２１】
接点要素１４ないし１５は炭素ブラシ１８ないし１９にほぼ平行に伸長する長手方向伸長主要部分とおよびこれに対しほぼ直角方向に走行するアングル部３１ないし３２とからなっている。受入ハウジング２０ないし２１内にはまず第１の上部受入案内部３３が設けられ、受入案内部３３はその形状において既知の炭素ブラシ用受入案内部に対応している。第１の受入案内部３３の下側に受入ハウジング２０ないし２１内の接点要素１４ないし１５用の第２の受入案内部３５が設けられ、受入案内部３３および３５は中間底部３４により分離されている。
【００２２】
接点要素１４ないし１５はさらに、下方に突出しかつ挿入方向に対しひっかからないように曲げられた係止突起部３６，３７を有している（図２参照）。受入ハウジング２０ないし２１内にさらに底部３８が形成され、底部３８は第２の受入案内部３５の下側境界部を形成している。受入底部３８内にさらに係止開口３９が形成され、係止開口３９内には挿入方向においてまず第１の係止部分３７が係止して準備位置に固定可能である。
【００２３】
図２に示すようにステータ１は電動機のモータハウジング１３内に挿入され、電動機のロータもまた既にステータの内部に配置されかつ装着されている。炭素ブラシ１８および１９用の受入ハウジング２０ないし２１もまた既に装着されているステータ１をモータハウジング３内に挿入するとき、接点部分は接点要素１４ないし１５に関して接触準備位置に到達している（図２においてはとくに接点部分９が示されている）。同様に接点部分１０および１１もまたモータプラグの接点要素１６および１７に関して接触準備位置に到達している。
【００２４】
図２に示す上記の準備位置においては、炭素ブラシ１８は受入ハウジング２０内に挿入されまた接点要素１４は上記のように準備位置に係止している。炭素ブラシ１８の先端部４０はまだ受入ハウジング２０内に存在していて整流子４１に対し間隔をなしている。
【００２５】
図３から明らかなように、次に接点要素１４が前方に押し出されるが、これは単にアングル部３１を押すことにより達成される。接点要素１４の先端部はこの場合接点要素１４の挿入通路内に突出する接点部分９のパンタグラフを越えて通過し、これにより接点部分９はばね付勢された状態で接点要素１４に当接している。このようにして形成された接点部分１４の接触位置は受入ハウジング２０の切欠部３９内に係合する突起部３６により固定されている。
【００２６】
同様にモータプラグの接点要素１６および１７に接点部分１０および１１が付属されている。接点要素１６および１７の場合ここではそれ自身既知の平差込タングが使用されている。この接点形成は上記の装着ステップに従って行われることが好ましい。この場合もまた接点要素１６および１７の挿入の過程において接点部分１０および１１のばね付勢たわみが形成され、したがってこれらの部分の間のばね付勢接点結合が形成される。図示とは異なり、接点要素１６および１７ないしはこれらの接点要素と協働する接点要素ブロック４６用受入案内部４５はさらに前方にすなわち受入案内部３３の開口平面上に引き出してもよく、これはさらにブラインド装着をするのに好都合である。
【００２７】
接点端子（図１参照）に関しては、この端子のみに下部受入部が設けられ、この受入部内に本来のＭａｇ−Ｍａｔｅ接点４２が挿入されて係止され、この接点４２にサーモスタットスイッチ４３の端部が接続されているような特殊設計がなされている。したがって、この位置においては回路はステータ１に対して絶縁され、これにより電流は直列回路をなしているサーモスタットスイッチ４３を通過し次にサーモスタットスイッチにさらに形成された平プラグ４４を介して端子７内に流れる。詳細には図示されていないが、サーモスタットスイッチ４３がさらに、ステータ巻線３の巻線カバー内に係止可能であってもまたは係止されていてもよい。
【００２８】
図４に受入ハウジング２０を図１とは反対側から見た他の斜視図が示されており、この場合この受入ハウジング２０はさらに妨害対抗コンデンサ４７を有している。妨害対抗コンデンサ４７は受入ハウジングの上部で片側が開放されたＵ形状案内部４８内に受け入れられている。したがって、基本形状が円形のボタン状妨害対抗コンデンサ４７は横から受入案内部４８内に挿入することができる。妨害対抗コンデンサ４７は接続導線４９および５０を有している。接続導線４９はこの実施態様においてねじ５１として示されている固定要素と導通接触をなしている。図２からも明らかなように、ねじ５１により受入ハウジング２０はモータハウジング１３に固定されている。たとえばブラインドリベットのような他の固定要素を設けてもよい。
【００２９】
妨害対抗コンデンサ４７の他方の接続導線５０は平プラグ５２において終端し、平プラグ５２は平プラグ案内部５３内に受け入れられている。平プラグ案内部５３は、この実施態様においては、受入ハウジング２０の上部で炭素ブラシ１８の摺動方向に対し直角方向に伸長している。さらに図４に示した実施態様においては、接点要素１４が接点アーム５４を有し、接点アーム５４が個々にさらに下方に折り曲げられた接点突起部５５を有するように設計されている。装着状態において接点アーム５４は案内部５６内に挿入され、これにより接点突起部５５は上から当接することにより平プラグ５２と導通接続を形成することになる。これにより装着状態において、妨害対抗コンデンサ４７と炭素ブラシ１８との間の電気的導通接続が形成される。
【００３０】
その他の詳細が図５ないし８からわかる。図５は接点アーム５４および下方に突出する接点突起部５５を有する接点要素１４の断面を詳細に示している。この実施態様においては、この要素は全体がＵ形状に曲げられた薄板部品からなっている。この薄板部品は接点タング２９もまた組み込んでおり、接点タング２９に銅製炭素ロープ２７がかしめにより固定されている。
【００３１】
図６の断面図から妨害対抗コンデンサ４７用のＵ形状受入ポケット４８の構造がわかる。前方にオフセットされた並列配置内にさらに平プラグ５２用の横方向滑り受入部が示されている。
【００３２】
図７は妨害対抗コンデンサ４７を簡単な形で示している。とくに接点リング５７が図示され、接点リング５７は固定要素たとえばねじ５１との電気的接触を容易にしている。
【００３３】
図８は受入ハウジング２０の平面図を示す。図６と組み合わせることにより門型５８，５９がわかり、門型５８，５９は平プラグ５２を保持するのに使用される。
【００３４】
【発明の効果】
本発明により、炭素ブラシを有する電動機において炭素ブラシの電気的接触形成を改善することおよびその電動機の組立方法を改善することが可能になる。
開示された特徴はすべて本発明の本質を構成している。したがって、付属／添付の優先権資料（出願済の明細書）の開示内容もまたすべて本出願の開示内に含まれ、このためにこれらの資料の特徴は本出願の特許請求の範囲内に含められるものである。
【図面の簡単な説明】
【図１】電動機のステータおよびそれに付属の炭素ブラシ用受入ハウジングの斜視分解図である。
【図２】炭素ブラシが準備位置にある、モータハウジングおよびロータを有する電動機の部分断面部分略組立図である。
【図３】炭素ブラシが接触位置にある、図２に類似の部分断面部分略組立図である。
【図４】付属のステータが取り除かれかつ妨害対抗コンデンサが組み込まれている、図１に示す受入ハウジングの斜視図である。
【図５】炭素ブラシが接続されている、図４に示す形態の接点要素の個別図である。
【図６】図６に示す形態における受入ハウジングの断面図である。
【図７】妨害対抗コンデンサの個別図である。
【図８】図６に示す受入ハウジングの平面図である。
【符号の説明】
１  ステータ
２，３  ステータ巻線
９，１０，１１，１２  接点部分
１４，１５，１６，１７  接点要素
１８，１９  炭素ブラシ
２０，２１  受入ハウジング
２５，２６  圧縮ばね
２７，２８  炭素ロープ
３１，３２  アングル部
３３  第１の受入案内部
３４  中間底部
３５  第２の受入案内部
４３  サーモスタットスイッチ
４７  妨害対抗コンデンサ
４８  受入ポケット
５１  固定要素
５２  プラグ接点
５３  滑り接点受入部
【図１】
0003749295.tif 000002
【図２】
0003749295.tif 000003
【図３】
0003749295.tif 000004
【図４】
0003749295.tif 000005
【図５】
0003749295.tif 000006
【図６】
0003749295.tif 000007
【図７】
0003749295.tif 000008
【図８】
0003749295.tif 000009